(57)【特許請求の範囲】
【請求項１】
山の斜面に沿って設けられた通路の上方を覆う屋根部と、前記屋根部上に設置され、斜面落下物を受けたときに前記屋根部に加わる衝撃を和らげる衝撃緩和部とを備えたシェッドにおいて、
前記衝撃緩和部には、上下に重なる１つ以上のネット構造物層と１つ以上の緩衝体層とが設けられ、前記各ネット構造物層は、前記屋根部に対向するよう張設されたネットを有し、前記ネット構造物層の中の最も上側の層である第一のネット構造物層は、前記緩衝体層の中の最も上側の層である第一の緩衝体層よりも上側に配置され、その上面で斜面落下物を受け、
少なくとも１つの前記ネット構造物層は、前記ネットよりも剛性が高く、斜面落下物の衝撃を受けたときに変形可能な複数の長尺部材を有し、前記複数の長尺部材は、互いに所定の間隔を空けて並列配置され、複数箇所が当該ネット構造物層の前記ネットに固定され、当該ネットの伸び量が前記長尺部材の長さ方向に制限され、
前記複数の長尺部材を有した前記ネット構造物層は、互いに所定の間隔を空けて並列に張設された複数のロープを有し、前記複数のロープは前記複数の長尺部材と交差する向きに配置され、当該ネット構造物層の前記ネットは、複数箇所が前記ロープに固定され、当該ネットの伸び量が前記ロープの長さ方向に制限されることを特徴とするシェッド。
【請求項２】
前記第一のネット構造物層は、下面が前記第一の緩衝体層の上面に支持されている請求項１記載のシェッド。
【請求項３】
前記第一のネット構造物層は、前記第一の緩衝体層の上方に空間を空けて配置されている請求項１記載のシェッド。
【請求項４】
前記衝撃緩和部には、前記第一のネット構造物層と前記第一の緩衝体層との間に、前記ネット構造物層である第二のネット構造物層が設けられ、前記第一のネット構造物層は、前記第二のネット構造物層の上方に空間を空けて配置されている請求項３記載のシェッド。
【請求項５】
前記衝撃緩和部には、前記第一の緩衝体層の下面を支持する前記ネット構造物層である第三のネット構造物層と、前記第三のネット構造物層の下面を支持する前記緩衝体層である第二の緩衝体層とが設けられている請求項１乃至３のいずれか記載のシェッド。
【請求項６】
山の斜面に沿って設けられた通路の上方を覆う屋根部と、前記屋根部上に設置され、斜面落下物を受けたときに前記屋根部に加わる衝撃を和らげる衝撃緩和部とを備えたシェッドにおいて、
前記衝撃緩和部には、互いに重なるように配置された１つ以上のネット構造物層が設けられ、前記各ネット構造物層は、前記屋根部に対向するよう張設されたネットを有し、
少なくとも１つの前記ネット構造物層は、前記ネットよりも剛性が高く、斜面落下物の衝撃を受けた時に変形可能な複数の長尺部材を有し、前記複数の長尺部材は、互いに所定の間隔を空けて並列配置され、複数箇所が当該ネット構造物層の前記ネットに固定され、当該ネットの伸び量が前記長尺部材の長さ方向に制限され、
前記複数の長尺部材を有した前記ネット構造物層は、互いに所定の間隔を空けて並列に張設された複数のロープを有し、前記複数のロープは前記複数の長尺部材と交差する向きに配置され、当該ネット構造物層の前記ネットは、複数箇所が前記ロープに固定され、当該ネットの伸び量が前記ロープの長さ方向に制限されることを特徴とするシェッド。
【請求項７】
前記屋根部の上面に前記ロープを張設するためのロープ張設装置が設置され、前記ロープ張設装置は、前記屋根部の上面に載置される基板部と、前記基板部の所定位置に立設され、前記ロープの端部が固定される一対のロープ支持部とで構成される請求項１乃至６のいずれか記載のシェッド。
【請求項８】
前記ロープ張設装置の前記基板部は、複数の棒部材が格子状に接続された格子体と、前記格子体の上面を覆う補助ネットとで構成される請求項７記載のシェッド。
【請求項９】
前記ロープ張設装置の前記基板部は、弾性シートを介して前記屋根部の上面に載置されている請求項７又は８記載のシェッド。
【請求項１０】
前記ロープは、当該ロープに加わる引張力が一定以上になるのを制限する摩擦摺動式の緩衝装置を介して張設されている請求項１乃至９のいずれか記載のシェッド。
【請求項１１】
少なくとも１つの前記ネット構造物層は、当該ネット構造物層の各構成部材が、補強材の内部に埋設されている請求項１乃至１０のいずれか記載のシェッド。
【発明の詳細な説明】
【技術分野】
【０００１】
本発明は、山沿いの道路や鉄道用軌道を落石や土砂崩落等から防護するためのシェッドに関する。
【背景技術】
【０００２】
シェッドの衝撃耐量を向上させるため、従来から種々の技術が提案されている。例えば、特許文献１に開示されているように、山の斜面に沿って設けられた通路の上方を覆う屋根の上方に、１層以上の網体を設置した保護構造物があった。各網体は、屋根の上面に立設された複数の支柱の間に張設され、各網体と屋根とが互いに間隔を置いて配されている。また、各網体の下面を支持する複数の支持用線材（ワイヤロープ、ピアノ線等）が設けられ、一対の支柱の間に架設されている。各支持用線材には緩衝用重複部が設けられ、この緩衝用重複部が支持用線材に加わる引張力により摩擦摺動するよう構成されている。
【０００３】
また、特許文献２に開示されているように、通路の上方を覆う屋根構造体の上に、山側から谷側に向かって所定角度で傾斜した傾斜体を設置した落石シェルタがあった。傾斜体として、屋根構造体上に複数の傾斜支持柱を配置し、その上にネットを張設した構造が記載されている。
【０００４】
その他、特許文献３に開示されているように、通路の上方を覆う屋根の上面に、緩衝性を有する発泡体から成る複数のブロック体を敷設したロックシェッドがあった。複数のブロック体の位置ずれを防止する固定手段として、最上面及び側面をネットで被覆する構造が記載されている。
【先行技術文献】
【特許文献】
【０００５】
【特許文献１】特開平８−７４２１５号公報
【特許文献２】実開平３−６２１０９号公報
【特許文献３】特開平４−２８９３０５号公報
【発明の概要】
【発明が解決しようとする課題】
【０００６】
シェッドの上面に落石等を受けた時、落石等の衝撃が特定部分に集中すると、その特定部分だけで強い衝撃を吸収する必要がある。そうすると、落石等をどの部分で受けてもよいように、シェッド全体を極めて衝撃緩衝性の高い構造にしなければならず、コストが高くなってしまう。したがって、十分な衝撃耐量を確保してコストも抑えるためには、特定部分に加わった強い衝撃を周囲に分散させ、広い領域で効率よく吸収する構造であることが好ましい。
【０００７】
一般に、防護用のネットは、斜面落下物を受けた部分が凹むように変形して衝撃を吸収する衝撃緩衝性と、ネットが面内方向に引っ張り合って衝撃を分散させる衝撃分散性とを備えている。例えば、ネットの素材を合成樹脂や細い金属線等の柔らかいものにしたり、網目を大きくして伸びやすくしたりすると、斜面落下物を受けた時に変形しやすくなり、衝撃緩衝性が相対的に高くなる。一方、ネットが変形しやすくなると、ネットが面内方向に引っ張り合う力が弱くなるので、衝撃分散性が相対的に低くなり、衝撃が一部分に集中しやすくなる。シェッドが設置される場所は様々であり、それぞれ斜面落下物の種類や大きさ、想定される衝撃のエネルギー等が異なるので、設置場所ごとに衝撃緩衝性と衝撃分散性をバランスよく設定することが重要になる。しかし、設置場所ごとに最適なネットを設計し製作するのは手間とコストが掛かるため、ネットの仕様変更だけで衝撃緩衝性と衝撃分散性を調節するのは、現実的には難しい。
【０００８】
特許文献１の保護構造物の場合、網体の下面が複数の支持用線材で支持されているので、網体と支持用線材とが協働することによって、衝撃分散性が向上する可能性がある。しかし、網体と支持用線材とが互いに接続されているか否かが記載されていないため、効果の大きさは不明確である。仮に、網体と支持用線材とが互いに接続されていないとすると、例えば、支持用線材同士の間隔に収まる大きさの落石を、支持用線材の無い部分で受けた場合、支持用線材は衝撃の分散にほとんど寄与しないと考えられる。特許文献２の落石シェルタの場合も、ネットの下面が複数の傾斜支持柱で支持されているので、ネットと傾斜支持柱とが協働することによって、衝撃分散性が向上する可能性があるが、ネットと傾斜支柱とが互いに接続されているか否かが記載されていないため、上記と同様に、効果の大きさは不明確である。このように、特許文献１，２の構造は、落石等の大きさや落石等を受ける位置によっては衝撃分散性が向上せず、網体等の特定部分に衝撃が集中しやすいものである。
【０００９】
また、そもそも防護用のネットだけで、落石に対する十分な衝撃緩衝性を実現することは困難であり、特許文献１，２の構造は、衝撃のエネルギーが非常に大きい大規模シェッドには不向きな構造である。
【００１０】
特許文献３のロックシェッドは、屋根の上面に緩衝性を有する発泡体から成る複数のブロック体が敷設され、各部分の衝撃緩衝性は優れているが、発泡体は衝撃分散性が低いので、落石等を受けた部分に衝撃が集中しやすい。したがって、ブロック体を多段に積み上げて衝撃緩衝性を確保しなければならず、シェッドが大型化し、コストも高くなってしまう。なお、ブロック体の最上層を被覆するネットは、ブロック体の位置ずれを防止する固定手段であって、特許文献１，２の網体等のようにしっかりと張設されたネットではないので、衝撃分散性や衝撃緩衝性は共に小さく、シェッドの衝撃耐量にはほとんど影響しない。
【００１１】
本発明は、上記背景技術に鑑みて成されたものであり、衝撃緩衝性及び衝撃分散性をバランスよく向上させることができる衝撃緩和部により、必要な衝撃耐量を容易かつ低コストに実現できるシェッドを提供することを目的とする。
【課題を解決するための手段】
【００１２】
本発明は、山の斜面に沿って設けられた通路の上方を覆う屋根部と、前記屋根部上に設置され、斜面落下物を受けたときに前記屋根部に加わる衝撃を和らげる衝撃緩和部とを備えたシェッドであって、前記衝撃緩和部には、上下に重なる１つ以上のネット構造物層と１つ以上の緩衝体層とが設けられ、前記各ネット構造物層は、前記屋根部に対向するよう張設されたネットを有し、前記ネット構造物層の中の最も上側の層である第一のネット構造物層は、前記緩衝体層の中の最も上側の層である第一の緩衝体層よりも上側に配置され、その上面で斜面落下物を受けるシェッドである。
【００１３】
前記第一のネット構造物層は、下面が前記第一の緩衝体層の上面に支持されている。あるいは、前記第一のネット構造物層は、前記第一の緩衝体層の上方に空間を空けて配置されている。後者の場合、前記衝撃緩和部には、前記第一のネット構造物層と前記第一の緩衝体層との間に、前記ネット構造物層である第二のネット構造物層が設けられ、前記第一のネット構造物層は、前記第二のネット構造物層の上方に空間を空けて配置されている構成にしてもよい。
【００１４】
前記衝撃緩和部には、前記第一の緩衝体層の下面を支持する前記ネット構造物層である第三のネット構造物層と、前記第三のネット構造物層の下面を支持する前記緩衝体層である第二の緩衝体層とが設けられている。
【００１５】
少なくとも１つの前記ネット構造物層は、前記ネットよりも剛性が高く、斜面落下物の衝撃を受けたときに変形可能な複数の長尺部材を有し、前記複数の長尺部材は、互いに所定の間隔を空けて並列配置され、複数箇所が当該ネット構造物層の前記ネットに固定され、当該ネットの伸び量が前記長尺部材の長さ方向に制限される構成にする。さらに、前記複数の長尺部材を有した前記ネット構造物層は、互いに所定の間隔を空けて並列に張設された複数のロープを有し、前記複数のロープは前記複数の長尺部材の一部又は全部と交差する向きに配置され、当該ネット構造物層の前記ネットは、複数箇所が前記ロープに固定され、当該ネットの伸び量が前記ロープの長さ方向に制限される構成にする。
【００１６】
また、本発明は、山の斜面に沿って設けられた通路の上方を覆う屋根部と、前記屋根部上に設置され、斜面落下物を受けたときに前記屋根部に加わる衝撃を和らげる衝撃緩和部とを備えたシェッドであって、前記衝撃緩和部には、互いに重なるように配置された１つ以上のネット構造物層が設けられ、前記各ネット構造物層は、前記屋根部に対向するよう張設されたネットを有し、少なくとも１つの前記ネット構造物層は、前記ネットよりも剛性が高く、斜面落下物の衝撃を受けた時に変形可能な複数の長尺部材を有し、前記複数の長尺部材は、互いに所定の間隔を空けて並列配置され、複数箇所が当該ネット構造物層の前記ネットに固定され、当該ネットの伸び量が前記長尺部材の長さ方向に制限されるシェッドである。
【００１７】
さらに、前記複数の長尺部材を有した前記ネット構造物層は、互いに所定の間隔を空けて並列に張設された複数のロープを有し、前記複数のロープは前記複数の長尺部材の一部又は全部と交差する向きに配置され、当該ネット構造物層の前記ネットは、複数箇所が前記ロープに固定され、当該ネットの伸び量が前記ロープの長さ方向に制限される構成にする。この場合、前記屋根部の上面に前記ロープを張設するためのロープ張設装置が設置され、前記ロープ張設装置は、前記屋根部の上面に載置される基板部と、前記基板部の所定位置に立設され、前記ロープの端部が固定される一対のロープ支持部とで構成されるようにしてもよい。前記ロープ張設装置の前記基板部は、複数の棒部材が格子状に接続された格子体と、前記格子体の上面を覆う補助ネットとで構成されることが好ましい。また、前記ロープ張設装置の前記基板部は、弾性シートを介して前記屋根部の上面に載置されることが好ましい。さらに、前記ロープは、当該ロープに加わる引張力が一定以上になるのを制限する摩擦摺動式の緩衝装置を介して張設されることが好ましい。
【００１８】
少なくとも１つの前記ネット構造物層は、当該ネット構造物層の各構成部材が、補強材の内部に埋設されている構成にしてもよい。
【発明の効果】
【００１９】
本発明のシェッドは、屋根部の上に独特な衝撃緩和部を有し、斜面落下物の種類や大きさ、想定される衝撃のエネルギー等に合わせ、衝撃緩和部の衝撃緩衝性と衝撃分散性をバランスよく設定することができるものである。
【００２０】
例えば、ネット構造物層と緩衝体層とを組み合わせた衝撃緩和部は、高い衝撃耐量が必要な大規模なシェッドに好適であり、衝撃緩和部の衝撃緩衝性と衝撃分散性をバランスよく向上させることができるので、シェッド全体として高い衝撃耐量を確保して、コストも抑えることができる。
【００２１】
また、ネット構造物層だけで構成したシンプルな衝撃緩和部は、比較的小規模なシェッドに好適である。ネット構造物層は、所定の長尺部材を設け、さらにロープや緩衝装置を組み合わせることによって、個々のネット構造物層の衝撃緩衝性と衝撃分散性を容易に調節することができる。したがって、衝撃緩和部の衝撃緩衝性と衝撃分散性をバランスよく設定することができ、シェッド全体として一定以上の衝撃耐量を確保して、コストも格段に抑えることができる。
【図面の簡単な説明】
【００２２】
【図１】本発明のシェッドの第一実施形態を示す断面図である。
【図２】第一実施形態のシェッドのネット構造物層の構成を示す平面図である。
【図３】第一実施形態のシェッドのロープの緩衝装置を示す平面図である。
【図４】本発明のシェッドの第二実施形態を示す断面図である。
【図５】本発明のシェッドの第三実施形態を示す断面図である。
【図６】本発明のシェッドの第四実施形態を示す断面図である。
【図７】本発明のシェッドの第五実施形態を示す断面図である。
【図８】本発明のシェッドの第六実施形態を示す断面図である。
【図９】本発明のシェッドの第七実施形態を示す断面図である。
【図１０】第七実施形態のシェッドのロープ張設装置の構成を示す平面図である。
【図１１】本発明のシェッドの第八実施形態を示す断面図である。
【図１２】本発明のシェッドの第九実施形態を示す断面図である。
【図１３】本発明のシェッドの第十実施形態を示す断面図である。
【発明を実施するための形態】
【００２３】
以下、本発明のシェッドの複数の実施形態について、図面を基にして説明する。各実施形態のシェッドは、山の斜面Ｓに沿って設けられた通路（道路、鉄道用軌道等）に設置され、通路を落石、土砂崩落、雪崩等から防護するものである。
【００２４】
第一実施形態のシェッド１０は、図１に示すように、通路の上方を覆う屋根部１２と、屋根部１２上に設置され、落石等の斜面落下物を受けたときに屋根部１２に加わる衝撃を和らげる衝撃緩和部１４とを備えている。
【００２５】
屋根部１２は、通路の長さ方向に所定の間隔を空けて配置された複数の主桁１６の上に設けられ、主桁１６は、斜面Ｓ側の一端が支持壁１８により支持され、谷側の一端が複数の支柱２０により個別に支持されている。屋根部１２は、床版層１２ａの上に現場打ちコンクリート層１２ｂが積層された２重構造になっており、床版層１２ａは、主桁１６の上に複数のプレキャストコンクリート床版を架け渡すように敷き並べることによって形成され、現場打ちコンクリート層１２ｂは、床版層１２ａを形成した上にコンクリートを打設することによって形成されている。
【００２６】
衝撃緩和部１４には、上下に重なる第一のネット構造物層２２と第一の緩衝体層２４とが設けられ、第一のネット構造物層２２が、第一の緩衝体層２４の上方に空間を空けて配置され、その上面で斜面落下物を受ける。
【００２７】
第一のネット構造物層２２は、図１、図２に示すように、複数のロープ２６、ネット２８、複数の長尺部材３０で構成されている。ロープ２６は、例えば鋼線やステンレス線等撚り線であり、屋根部１２上面の斜面Ｓ側の端部に沿って立設された擁壁であるロープ支持部３２ａと谷側の端部に沿って立設された擁壁であるロープ支持部３２ｂとの間に、所定の間隔を空けて並列に張設されている。各ロープ２６の谷側の端部は、緩衝装置３４を介してロープ支持部３２ｂに固定されている。緩衝装置３４は、図３に示すように、Ｕ字状連結具３４ａを有し、Ｕ字状連結具３４ａが、ロープ支持部３２ｂに取り付けられた連結部３２ｃに係合し固定されている。Ｕ字状連結具３４ａの両端部には、ロープ２６の末端よりやや内側の部分を摺動可能に挟持する挟持部材３４ｂが設けられ、ロープ２６の末端に、挟持部材３４ｂに係合して摺動を止めるストッパ３４ｃが取り付けられている。緩衝装置３４は、斜面落下物を受けたとき、ロープ２６に加わる引張力が所定値を超えると、ロープ２６が挟持部材３４ｂ内を摩擦摺動し、衝撃を緩衝する。
【００２８】
ネット２８は、いわゆる防護用のネットであり、例えば、紫外線等に対する耐候性に優れたポリエチレン等の繊維を編み込んで形成した合成樹脂ネット、針金を編み込んで網目状にした金網、あるいは、鋼線を格子状に配して交点を溶接して網状にしたワイヤメッシュ等が適している。ネット２８は、ロープ２６に固定されて張設されると共に、複数箇所がロープ２６に固定されることによって、ネット２８の伸び量がロープ２６の長さ方向（通路の幅方向）に制限される。
【００２９】
長尺部材３０は、ネット２８よりも剛性が高く、斜面落下物を受けた時に変形可能な部材であり、例えば幅狭の金属板等が好適である。複数の長尺部材３０は、互いに所定の間隔を空けて格子状に並列配置され、複数箇所がネット２８に固定され、ネット２８の伸び量が長尺部材３０の長さ方向（通路の長さ方向及び幅方向）に制限される。
【００３０】
複数のロープ２６、ネット２８、及び複数の長尺部材３０を重ねる順番は自由であるが、施工のしやすさを重視すると、ロープ２６を張設した上に長尺部材３０を取り付け、その上にネット２８を敷いて複数箇所を固定するのが好ましい。
【００３１】
第一の緩衝体層２４は、例えば、発泡スチロール、発泡ウレタン、ＥＶＡ（エチレン-酢酸ビニル共重合樹脂）発泡体等で成る発泡体ブロック３６を屋根部１２の上面に敷設し、耐候性を向上させるための保護用部材３８で被覆することによって形成されている。保護用部材３８として、例えば、袋状の内側にコンクリートを注入して硬化させた薄い布製型枠を使用してもよいし、遮光性に優れたシート材等を使用してもよい。第一の緩衝体層２４は、優れた衝撃緩衝性を有するものであり、通衝撃分散性それほど高くなくてもよい。
【００３２】
次に、シェッド１０の落石等に対する衝撃耐量について説明する。上記のように、シェッドは、十分な衝撃耐量を確保してコストも抑えるため、特定部分に加わった強い衝撃を周囲に分散させ、広い領域で効率よく吸収する構造であることが好ましい。
【００３３】
第一のネット構造物層２２のネット２８は、落石等を受けた部分が変形して衝撃を吸収する衝撃吸収性と、ネット２８が面内方向に引っ張り合って衝撃を分散させる衝撃分散性とを備えている。ロープ２６は、ネット２８の複数箇所に固定されてネット２８の伸び量を制限することによって、衝撃分散性を向上させる。また、緩衝装置３４は、挟持しているロープ２６の端部が摩擦摺動することによって、衝撃緩衝性を向上させる。長尺部材３０は、ネット２８の複数箇所に固定されてネット２８の伸び量を制限することによって、衝撃分散性を向上させる。なお、長尺部材３０は、ネット２８よりも剛性が高く、落石等の衝撃を受けた時に変形可能で、落石等を受けたときにネット２８と一体に変形することが重要であり、緩衝機能を発揮する程度に靱性が高く弾性変形及び塑性変形可能な金属材料が好ましく、脆性破壊しやすい部材だと、ネット２８が衝撃緩衝性を発揮できなくなるので好ましくない。
【００３４】
このように、第一のネット構造物層２２の衝撃分散性と衝撃緩衝性は、ネット２８の素材の剛性や網目の大きさを調節したり、ロープ２６の数や張力を調節したり、緩衝装置３４の数や摩擦摺動特性を調節したり、長尺部材３０の数や剛性を調節したりすることによって、容易に可変調整することができる。また、第一のネット構造物層２２と第一の緩衝体層２４との間の空間は、第一のネット構造物層２２の変形による緩衝機能を効果的に発揮させるもので、第一のネット構造物層２２の衝撃分散性と衝撃緩衝性は、第一のネット構造物層２２と第一の緩衝体層２４の離間距離を調節することによっても可変調整することができる。
【００３５】
シェッド１０の場合、第一のネット構造物層２２は、衝撃緩衝性よりも衝撃分散性を重視した設定にすることが好ましい。そして、第一の緩衝体層２４が、自己の優れた衝撃緩衝性により、第一のネット構造物層２２によって広く分散されて適度に弱められた衝撃力を、広い領域で効率よく吸収する。このように、第一のネット構造物層２２と第一の緩衝体層２４とが協働することによって、コンクリート製の屋根部１２に加わる衝撃が大幅に和らげることができる。
【００３６】
以上説明したように、シェッド１０は、屋根部１２の上に独特な衝撃緩和部１４を有し、落石等の斜面落下物の種類や大きさ、想定される衝撃のエネルギー等に合わせ、衝撃緩和部１４の衝撃緩衝性と衝撃分散性をバランスよく設定することができる。
【００３７】
特に、衝撃緩和部１４は、第一のネット構造物層２２と第一の緩衝体層２４とを組み合わせているので、高い衝撃耐量が必要な大規模なシェッドに好適であり、衝撃緩和部１４の衝撃緩衝性と衝撃分散性をバランスよく向上させることができるので、シェッド全体として高い衝撃耐量を確保して、コストも抑えることができる。
【００３８】
次に、本発明のシェッドの第二、第三、及び第四実施形態について、図４〜６に基づいて説明する。ここで、上記実施形態と同様の構成は、同一の符号を付して説明を省略する。第二実施形態のシェッド４０は、上記と異なる衝撃緩和部４２を有し、衝撃緩和部４２は、図４に示すように、落石等を受ける第一のネット構造物層２２の下方に空間を空けて第二のネット構造物層４４が設けられ、さらに、第二のネット構造物層４４の下方に空間を空けて第一の緩衝体層２４が設けられている。この場合、第二のネット構造物層４４は、第一のネット構造物層２２と同様の構成でもよいし、例えば、ロープ２６や長尺部材３０の数を減らして衝撃緩衝性を重視した構成にしてもよい。
【００３９】
第三実施形態のシェッド４６は、シェッド４０の衝撃緩和部４２と類似した衝撃緩和部４８を有し、衝撃緩和部４８は、図５に示すように、落石等を受ける第一のネット構造物層２２の下方に空間を空けて第二のネット構造物層４４が設けられ、さらに、第二のネット構造物層４４の下面が第一の緩衝体層２４の上面に支持されている。この場合、第二のネット構造物層４４は、衝撃を受けたときの変形量が制限されているが、例えばネット２８やロープ２６の張力を高くしたり長尺部材３０の数を増やす等して、衝撃分散性を高めた構成にすると良い。
【００４０】
第四実施形態のシェッド５０は、上記と異なる衝撃緩和部５２を有し、衝撃緩和部５２は、図６に示すように、落石等を受ける第一のネット構造物層２２の下方に空間を空けて第一の緩衝体層２４が設けられ、第一の緩衝体層２４の下面が第三のネット構造物層５４の上面に支持され、さらに、第三のネット構造物層５４の下面が第二の緩衝体層５６の上面に支持されている。この場合、第三のネット構造物層５４は、衝撃を受けた時の変形量が制限されているが、例えばネット２８やロープ２６の張力を高くしたり長尺部材３０の数を増やす等して、衝撃分散性を高めた構成にすると良い。
【００４１】
シェッド４０，４６，５０によれば、上記のシェッド１０と同様の作用効果を得ることができ、さらに、ネット構造物層や緩衝体層が増加されているので、シェッド全体の衝撃耐量を格段に向上させることができる。
【００４２】
次に、本発明のシェッドの第五及び第六実施形態について、図７、図８に基づいて説明する。ここで、上記実施形態と同様の構成は、同一の符号を付して説明を省略する。第五実施形態のシェッド５８は、シェッド１０の衝撃緩和部１４と類似した衝撃緩和部６０を有し、衝撃緩和部６０は、図７に示すように、第一のネット構造物層２２の下面が第一の緩衝体層２４の上面に支持されているという特徴がある。また、第六実施形態のシェッド６２は、シェッド５０の衝撃緩和部５２と類似した衝撃緩和部６４を有し、衝撃緩和部６４は、図８に示すように、第一のネット構造物層２２の下面が第一の緩衝体層２４の上面に支持されているという特徴がある。
【００４３】
シェッド５８，６２は、積雪寒冷地に設置されるスノーシェッド等に好適である。スノーシェッドは、衝撃緩和部に雪が積もって定常荷重が加わるが、シェッド５８，６２は、第一のネット構造物層２２を第一の緩衝体層２４で支持する構造なので、第一のネット構造物層２２に定常的なストレスが加わるのを防止することができる。なお、衝撃緩和部６０，６４の第一のネット構造物層２２は、衝撃を受けた時の変形量が制限されているが、例えばネット２８やロープ２６の張力を高くしたり長尺部材３０の数を増やす等して、衝撃分散性を高めた構成にすると良い。
【００４４】
次に、本発明のシェッドの第七実施形態について、図９、図１０に基づいて説明する。ここで、上記実施形態と同様の構成は、同一の符号を付して説明を省略する。第七実施形態のシェッド６６は、シェッド１０とほぼ同様の衝撃緩和部１４を有しているが、ロープ２６を架設するためのロープ支持部３２ａ，３２ｂに代えて、図９に示すロープ張設装置６８が設けられているという違いがある。
【００４５】
ロープ張設装置６８は、屋根部１２の上面に載置される基板部７０と、基板部７０の所定位置に立設され、ロープ２６の端部が固定される一対のロープ支持部７２ａ，７２ｂとで構成されている。基板部７０は、例えば図１０に示すように、一定の剛性を有した棒部材を格子状に接続した格子体７０ａの上面を補助ネット７０ｂで覆った構造である。ロープ支持部７２ａは、基板部７０の斜面Ｓ側の端部に立設された複数の支柱材７２ａ−１の上端部同士を梁材７２ａ−２で連結した構造である。ロープ支持部７２ｂも同様に、基板部７０の谷側の端部に立設された複数の支柱材７２ｂ−１の上端部同士を梁材７２ｂ−２で連結した構造である。ロープ張設装置６８は、屋根部１２の上面に載置され、基板部７０上面の、ロープ支持部７２ａとロープ支持部７０ｂの間に第一の緩衝体層２４が敷設され、さらに第一の緩衝体層２４の上方に第一のネット構造物層２２が設けられる。
【００４６】
シェッド１０のロープ支持部３２ａ，３２ｂは、図１に示すように、下端部を屋根部１２の上面に埋め込んで立設する構造なので、屋根部１２自体を新設する場合は容易に設けることができるが、既設の屋根部１２に付設する場合には適していない。しかし、ロープ張設装置６８を使用すれば、屋根部１２が新設か既設かに関係なく、ロープ支持部７２ａ，７２ｂを容易に設けることができる。
【００４７】
ロープ張設装置６８は、基板部７０が格子体７０ａと補助ネット７０ｂとで構成された軽量構造なので、山間地の現場に運搬したり、屋根部１２上に設置したりする作業が容易である。また、設置後、斜面落下物の衝撃を受けた時、基板部７０は格子体７０ａと補助ネット７０ｂとで構成された剛性の高い面を有するため、衝撃緩和部１４を通して伝達した衝撃力をさらに分散させることができる。さらに、補助ネット７０ｂが格子体７０ａの開口部分に沈み込むように変形することによって、一定の衝撃緩衝効果が得られる。なお、基板部７０を屋根部１２の上面に載置するとき、ＥＶＡ樹脂発泡体シート等の弾性シートを介して載置してもよく、例えば、屋根部１２の上面が平坦でない場合等に有効である。
【００４８】
次に、本発明のシェッドの第八実施形態について、図１１に基づいて説明する。ここで、上記実施形態と同様の構成は、同一の符号を付して説明を省略する。第八実施形態のシェッド７４は、シェッド５８の衝撃緩和部６０と類似した衝撃緩和部７６を有し、衝撃緩和部７６は、上記の第一のネット構造物層２２とは異なる構造の第一のネット構造物層７８を有している。
【００４９】
第一のネット構造物層７８は、第一のネット構造物層２２と同様のロープ２６、ネット２８及び長尺部材３０を有し、これら全体がコンクリート等の補強材８０の内部に埋設されて一体的に固定されているという特徴がある。第一のネット構造物層７８によれば、ロープ２６を引っ張った状態で補強材８０に埋めて固めることによって、屋根部１２の上面にロープ支持部３２ａ，３２ｂやロープ張設装置６８を設置する作業を省略できるという利点がある。さらに、一定以上の落石等を受けて補強材８０が破損しても、他の部分のロープ２６とネット２８及び長尺部材３０が、補強材８０により保持固定されているので、高い衝撃分散性及び衝撃緩衝性を発揮する。さらに、破損後、破損した箇所に補強材８０を補充し硬化させることによって、第一のネット構造物層７８を容易に修復することができる。
【００５０】
次に、本発明のシェッドの第九及び第十実施形態について、図１２、図１３に基づいて説明する。ここで、上記実施形態と同様の構成は、同一の符号を付して説明を省略する。第九実施形態のシェッド８２は、シェッド１０の衝撃緩和部１４をシンプルにした衝撃緩和部８４を有し、衝撃緩和部８４は、図１２に示すように、屋根部１２の上方に空間を空けて配置された第一のネット構造物層２２だけで構成されている。第十実施形態のシェッド８６は、シェッド４０の衝撃緩和部４２をシンプルにした衝撃緩和部８８を有し、衝撃緩和部８８は、図１３に示すように、屋根部１２の上方に、互いに空間を空けて配置された第一及び第二のネット構造物層２２，４４だけで構成されている。
【００５１】
シェッド８２，８６の衝撃緩和部８４，８８は、緩衝体層を省略し、ネット構造物層だけで構成されているので、比較的小規模なシェッドに好適である。ネット構造物層２２，４４は、長尺部材３０を設け、さらにロープ２６や緩衝装置３４を組み合わせることによって、ネット構造物層２２，４４の衝撃緩衝性と衝撃分散性を容易に調節することができる。したがって、衝撃緩和部の衝撃緩衝性と衝撃分散性をバランスよく設定することができ、シェッド全体として一定以上の衝撃耐量を確保して、コストも格段に抑えることができる。
【００５２】
なお、本発明のシェッドは上記実施形態に限定されるものではなく、例えば、上記の屋根部１２、主桁１６、支持壁１８及び支柱２０の構成は、その他の公知な構成に置き換えてもよい。
【００５３】
ネット構造物層の構成は、少なくとも屋根部に対向するよう張設されたネットを有するものであればよく、ネットの衝撃分散性と衝撃緩衝性を調節するためのロープや緩衝装置の数、長尺部材の数は、ネット構造物層ごとに変更することができる。また、ロープや長尺部材の配置は、通路に対して直角、平行、斜めのいずれでもよく、格子状又は菱形状に配置してもよい。ロープを張設する構造は、上記のロープ支持部３２ａ，３２ｂやロープ張設装置６８を使用した構造に限定されず、例えば、ロープの一端を取り付けたアンカーを斜面Ｓに打ち込んで固定する構造にしてもよい。
【００５４】
緩衝体層は、上記のような発泡スチロール、発泡ウレタン、ＥＶＡ発泡体等の材料に限定されず、優れた衝撃緩衝性を有するものであれば、ゴムチップ、廃タイヤ、敷砂等の他の材料を使用することができ、緩衝体層ごとに異なる材料を選択することができる。また、同じの材料（例えば、発泡スチロールのブロック体）を複数段に積み重ねて１つの緩衝材層にしてもよいし、異なる材料（例えば、発泡スチロールのブロック体とＥＶＡ発泡体シート）を積み重ねて１つの緩衝体層にしてもよい。さらに、積み重ねた間に、衝撃分散板（例えば、一定以上の剛性を有する格子状枠体等）を配置してもよい。
【符号の説明】
【００５５】
１０，４０，４６，５０，５８，６２，６６，７４，８２，８６  シェッド
１２  屋根部
１４，４２，４８，５２，６０，６４，７６，８４，８８  衝撃緩和部
２２，７８  第一のネット構造体
２４  第一の緩衝体層
２６  ロープ
２８  ネット
３０  長尺部材
３４  緩衝装置
４４  第二のネット構造物層
５４  第三のネット構造物層
５６  第二の緩衝体層
６８  ロープ張設装置
７０  基板部
７０ａ  格子体
７０ｂ  補助ネット
７２ａ，７２ｂ  ロープ支持部
８０  補強材
Ｓ  斜面
【図１】
0006456266.tif 000002
【図２】
0006456266.tif 000003
【図３】
0006456266.tif 000004
【図４】
0006456266.tif 000005
【図５】
0006456266.tif 000006
【図６】
0006456266.tif 000007
【図７】
0006456266.tif 000008
【図８】
0006456266.tif 000009
【図９】
0006456266.tif 000010
【図１０】
0006456266.tif 000011
【図１１】
0006456266.tif 000012
【図１２】
0006456266.tif 000013
【図１３】
0006456266.tif 000014